(57)【特許請求の範囲】
【請求項１】
自局を識別するための識別子と無線通信用パラメータとの組を、自局近傍の他の基地局に通知する無線通信用パラメータ通知手段と、前記他の基地局と新設基地局の共通制御チャネルを受信可能な移動局との間のパスロス値、受信レベル、及び、制御チャネルの到達時間差のうちの少なくとも１つと、該他の基地局の識別子と無線通信用パラメータとの組とを取得する情報取得手段と、前記情報取得手段によって取得した情報に基づいて、自局が報知する識別子と無線通信用パラメータとの組を設定更新する無線通信用報知パラメータ更新手段とを含み、
前記無線通信用報知パラメータ更新手段は、パスロスの保持値が通知されている第１隣接基地局について、既設基地局から通知されるパスロスの保持値が小さいものを、より上位とし、パスロスの保持値が通知されていない第２隣接基地局について、前記他の基地局が報知する、該基地局の識別子と無線通信用パラメータとの組における出現回数が多いものを、より上位とするように設定更新することを特徴とする基地局装置。
【請求項２】
自局を識別するための識別子と無線通信用パラメータとの組を、自局近傍の他の基地局に通知する無線通信用パラメータ通知手段と、前記他の基地局と新設基地局の共通制御チャネルを受信可能な移動局との間のパスロス値、受信レベル、及び、制御チャネルの到達時間差のうちの少なくとも１つと、該他の基地局の識別子と無線通信用パラメータとの組とを取得する情報取得手段と、前記情報取得手段によって取得した情報に基づいて、自局が報知する識別子と無線通信用パラメータとの組を設定更新する無線通信用報知パラメータ更新手段とを含み、
前記無線通信用報知パラメータ更新手段は、パスロスの保持値が通知されていない第２隣接基地局同士の優先順位について、パスロスの保持値が通知されている第１隣接基地局が報知する基地局識別子と下りスクランブリングコードとの組の中で、前記他の基地局が報知する、該基地局の識別子と無線通信用パラメータとの組における出現回数が多いものを、より上位とし、第２隣接基地局同士の出現回数が同一の場合には、パスロス値の測定報告が小さい第１隣接基地局が報知する基地局識別子と下りスクランブリングコードとの組を、より上位とするように設定更新することを特徴とする基地局装置。
【請求項３】
新設時に無線アクセスネットワークへの編入および無線通信に必要なパラメータの設定を自動で行う基地局と該基地局が形成するセルに所属しかつ新設基地局の共通制御チャネルを受信可能な移動局とが通信を行う無線通信システムにおいて、新設された新設基地局の形成するセルに隣接するセルを形成する既設の既設基地局の識別子と無線通信用のパラメータとの組を、前記新設基地局が形成するセルに所属する移動局に前記新設基地局が報知するための無線通信用パラメータ更新方法であって、
新設基地局が、自局の基地局識別子と無線通信用パラメータとの組を設定するステップと、
近傍の第１の既設基地局に対し、前記新設基地局が、自局の基地局識別子と無線通信用パラメータとの組を通知するステップと、
前記新設基地局からの基地局識別子と無線通信用パラメータとの組の通知に基づき、前記第１の既設基地局が、該第１の既設基地局が形成するセルに所属する移動局に報知していた基地局識別子と無線通信用パラメータとの組に、前記新設基地局の基地局識別子と無線通信用パラメータとの組を加えて、前記移動局に報知するステップと、
前記第１の既設基地局から報知された前記識別子と無線通信用パラメータとの組全ての中で、前記移動局が接続可能な基地局の識別子と無線通信用パラメータとの組における基地局の送信電力と移動局の受信電力の電力差であるパスロス値を含む測定報告を、前記第１の既設基地局が前記移動局から受信するステップと、
前記第１の既設基地局が、前記新設基地局及び前記第１の既設基地局の両方の識別子と無線通信用パラメータとの組におけるパスロス値を含んだ測定報告を前記移動局から受信した場合にのみ、前記パスロス値の測定報告に基づき識別子と無線通信用パラメータとの組におけるパスロス値の保持値を更新するステップと、
前記第１の既設基地局のうち、自局及び前記新設基地局の両方の識別子と無線通信用パラメータとの組におけるパスロス値を含んだ測定報告を前記移動局から受信した第２の既設基地局において報知している全ての識別子と無線通信用パラメータとの各組におけるパスロス値の保持値を、前記第２の既設基地局が前記新設基地局に通知するステップと、
前記第２の既設基地局において、前記移動局から前記新設基地局及び前記第２の既設基地局に加えて第３の既設基地局の識別子と無線通信用パラメータとの組におけるパスロスの測定報告が通知された場合、前記第２の既設基地局が前記第３の既設基地局に対し、前記第３の既設基地局が報知している全ての識別子と無線通信用パラメータとの組を、前記新設基地局に通知するように要求するステップと、
前記要求に基づいて、第３の既設基地局が報知している全ての前記識別子と無線通信用パラメータとの組を、前記第３の既設基地局が前記新設基地局に通知するステップと、
前記新設基地局は、前記第２の既設基地局から通知された全ての識別子、無線通信用パラメータにおけるパスロスの保持値、前記第３の既設基地局から通知された全ての識別子、及び、前記無線通信用パラメータに基づいて、前記新設基地局が報知する識別子と無線通信用パラメータとの組を更新するステップと、
を含むことを特徴とする無線通信用パラメータ更新方法。
【発明の詳細な説明】
【技術分野】
【０００１】
本発明は基地局装置、移動局装置、無線通信用パラメータ更新方法に関し、特に複数のユーザが無線伝送路を共有して同時に通信を行う多元接続方式における基地局装置、移動局装置、無線通信用パラメータ更新方法に関する。
【背景技術】
【０００２】
複数のユーザが無線伝送路を共有して同時に通信を行う多元接続方式としては、符号分割多元接続方式（code division multiple access；ＣＤＭＡ）、時分割多元接続方式（time division multiple access；ＴＤＭＡ）、周波数分割多元接続方式（Frequency Division Multiple Access；ＦＤＭＡ）などが知られている。
例えば、符号分割多元接続方式を用いて同一周波数帯域を複数の通信波で共有する通信システムにおいては、個々の通信波はランダムな符号系列である拡散コ一ドにより区別される。拡散コードは、検出特性（自己相関特性）および、異なる拡散コード間の識別特性（相互相関特性）が良いほどシステム効率が向上する。このため、系列長で決まる全てのランダムな符号組合せを用いることは無く、所要特性を得る符号系列を選択して用いる。したがって、高いシステム効率が求められる場合には拡散コードは限定され、割当可能な拡散コード数はシステムが想定する全同時通信波数を下回る。
【０００３】
特に、Ｗ−ＣＤＭＡ（Wideband CDMA）セルラシステムの下り回線で用いる拡散コードには、高い検出特性や識別特性に加えて、低送信電力でも高品質な通信を実現するために異なる拡散コード間の相互干渉を低減できる符号直交性が求められる。このため、割当可能な拡散コード数は上り回線よりも少なくなる。この少数の拡散コードは有効利用のため全セルで繰返し使用されるが、セル間での混信を防ぐため、セル毎に異なるコードを重畳して用いる。
【０００４】
Ｗ−ＣＤＭＡセルラシステムでは、ユーザのデータを実際に広帯域拡散する拡散コードをチャネライゼーションコード、セル毎に重畳するセル間混信防止用のコードをスクランブリングコードと呼んでいる。
Ｗ−ＣＤＭＡセルラシステムの各セルを形成する各基地局装置（以下、単に基地局と呼ぶ）は、移動局装置（以下、単に移動局と呼ぶ）がセル検出を高速に行えるように、その周辺基地局が使用している下りスクランブリングコードを制御チャネルにより報知しており、移動局は制御チャネルで通知されたスクランブリングコードを対象に下り回線の受信を行う。従って、ある基地局に下りスクランブリングコードを割当てた場合、移動局が当該基地局の下り回線を受信してから、下り回線の周辺となる他の下り回線を受信するには、当該基地局の周辺に位置する周辺基地局の下りスクランブリングコードを、当該基地局の制御チャネルに設定し、当該基地局が形成するセルに所属する移動局に報知しておかなければならない。
【０００５】
なお、移動局が基地局の情報を取得し、自局が接続している基地局に報告し、基地局で情報を更新する技術が特許文献１に記載されている。
【特許文献１】特開２００１−５４１５８号公報
【発明の開示】
【発明が解決しようとする課題】
【０００６】
上述した特許文献１に記載されている基地局情報の更新方法を採用する場合、基地局と移動局との間のパスロスは考慮されておらず、基地局が使用するスクランブリングコード等の無線通信用パラメータの自動設定を、高精度に行うことができない。
本発明は上述した従来技術の問題点を解決するためになされたものであり、その目的は周辺基地局が使用する無線通信用のパラメータを、自基地局が報知するパラメータとしてより高精度に自動設定するための基地局装置、移動局装置、無線通信用パラメータ更新方法を提供することにある。
【課題を解決するための手段】
【０００７】
本発明の請求項１による基地局装置は、自局を識別するための識別子と無線通信用パラメータとの組を、自局近傍の他の基地局に通知する無線通信用パラメータ通知手段（後述する図３中の基地局識別子・スクランブリングコード通知部１０８及び送信部１０２に対応）と、前記他の基地局と新設基地局の共通制御チャネルを受信可能な移動局との間のパスロス値、受信レベル、及び、制御チャネルの到達時間差のうちの少なくとも１つと、該他の基地局の識別子と無線通信用パラメータとの組とを取得する情報取得手段（後述する図３中の受信部１０４に対応）と、前記情報取得手段によって取得した情報に基づいて、自局が報知する識別子と無線通信用パラメータとの組を設定更新する無線通信用報知パラメータ更新手段（後述する図３中の基地局識別子・スクランブリングコード設定部１０６及び基地局識別子・スクランブリングコード報知更新部１１０に対応）とを含み、前記無線通信用報知パラメータ更新手段は、パスロスの保持値が通知されている第１隣接基地局について、既設基地局から通知されるパスロスの保持値が小さいものを、より上位とし、パスロスの保持値が通知されていない第２隣接基地局について、前記他の基地局が報知する、該基地局の識別子と無線通信用パラメータとの組における出現回数が多いものを、より上位とするように設定更新することを特徴とする。この請求項は、後述する新設基地局１００４についての請求項である。このような構成を採用すれば、パスロス測定値などと周辺基地局の無線通信パラメータとに基づいて更新を行うことができるので、より高精度にパラメータを更新することができる。
【０００９】
本発明の請求項２による基地局装置は、自局を識別するための識別子と無線通信用パラメータとの組を、自局近傍の他の基地局に通知する無線通信用パラメータ通知手段と、前記他の基地局と新設基地局の共通制御チャネルを受信可能な移動局との間のパスロス値、受信レベル、及び、制御チャネルの到達時間差のうちの少なくとも１つと、該他の基地局の識別子と無線通信用パラメータとの組とを取得する情報取得手段と、前記情報取得手段によって取得した情報に基づいて、自局が報知する識別子と無線通信用パラメータとの組を設定更新する無線通信用報知パラメータ更新手段とを含み、
前記無線通信用報知パラメータ更新手段は、パスロスの保持値が通知されていない第２隣接基地局同士の優先順位について、パスロスの保持値が通知されている第１隣接基地局が報知する基地局識別子と下りスクランブリングコードとの組の中で、前記他の基地局が報知する、該基地局の識別子と無線通信用パラメータとの組における出現回数が多いものを、より上位とし、第２隣接基地局同士の出現回数が同一の場合には、パスロス値の測定報告が小さい第１隣接基地局が報知する基地局識別子と下りスクランブリングコードとの組を、より上位とするように設定更新することを特徴とする。この請求項は、後述する新設基地局１００４についての請求項である。このような構成を採用すれば、パスロス測定値と無線通信パラメータとに基づいて高精度にパラメータを更新でき、しかも、出現回数が同一であった場合でもパスロス値に基づいて適切に更新できる。
【００１７】
本発明の請求項３による無線通信用パラメータ更新方法は、新設時に無線アクセスネットワークへの編入および無線通信に必要なパラメータの設定を自動で行う基地局と該基地局が形成するセルに所属しかつ新設基地局の共通制御チャネルを受信可能な移動局とが通信を行う無線通信システムにおいて、新設された新設基地局の形成するセルに隣接するセルを形成する既設の既設基地局の識別子と無線通信用のパラメータとの組を、前記新設基地局が形成するセルに所属する移動局に前記新設基地局が報知するための無線通信用パラメータ更新方法であって、
新設基地局が、自局の基地局識別子と無線通信用パラメータとの組を設定するステップ（後述する図５中のステップＳ１１０２に対応）と、
近傍の第１の既設基地局に対し、前記新設基地局が、自局の基地局識別子と無線通信用パラメータとの組を通知するステップ（後述する図５中のステップＳ１１０４、Ｓ１１０８、Ｓ１１１２に対応）と、
前記新設基地局からの基地局識別子と無線通信用パラメータとの組の通知に基づき、前記第１の既設基地局が、該第１の既設基地局が形成するセルに所属する移動局に報知していた基地局識別子と無線通信用パラメータとの組に、前記新設基地局の基地局識別子と無線通信用パラメータとの組を加えて、前記移動局に報知するステップ（後述する図５中のステップＳ１１１４、Ｓ１１１６に対応）と、
前記第１の既設基地局から報知された前記識別子と無線通信用パラメータとの組全ての中で、前記移動局が接続可能な基地局の識別子と無線通信用パラメータとの組における基地局の送信電力と移動局の受信電力の電力差であるパスロス値を含む測定報告を、前記第１の既設基地局が前記移動局から受信するステップ（後述する図５中のステップＳ１１１８、Ｓ１１２２に対応）と、
前記第１の既設基地局が、前記新設基地局及び前記第１の既設基地局の両方の識別子と無線通信用パラメータとの組におけるパスロス値を含んだ測定報告を前記移動局から受信した場合にのみ、前記パスロス値の測定報告に基づき識別子と無線通信用パラメータとの組におけるパスロス値の保持値を更新するステップ（後述する図５中のステップＳ１１２０、Ｓ１１２４に対応）と、
前記第１の既設基地局のうち、自局及び前記新設基地局の両方の識別子と無線通信用パラメータとの組におけるパスロス値を含んだ測定報告を前記移動局から受信した第２の既設基地局において報知している全ての識別子と無線通信用パラメータとの各組におけるパスロス値の保持値を、前記第２の既設基地局が前記新設基地局に通知するステップ（後述する図５中のステップＳ１１２８、Ｓ１１３０に対応）と、
前記第２の既設基地局において、前記移動局から前記新設基地局及び前記第２の既設基地局に加えて第３の既設基地局の識別子と無線通信用パラメータとの組におけるパスロスの測定報告が通知された場合、前記第２の既設基地局が前記第３の既設基地局に対し、前記第３の既設基地局が報知している全ての識別子と無線通信用パラメータとの組を、前記新設基地局に通知するように要求するステップ（後述する図５中のステップＳ１１２６に対応）と、
前記要求に基づいて、第３の既設基地局が報知している全ての前記識別子と無線通信用パラメータとの組を、前記第３の既設基地局が前記新設基地局に通知するステップ（後述する図５中のステップＳ１１３２に対応）と、
前記新設基地局は、前記第２の既設基地局から通知された全ての識別子、無線通信用パラメータにおけるパスロスの保持値、前記第３の既設基地局から通知された全ての識別子、及び、前記無線通信用パラメータに基づいて、前記新設基地局が報知する識別子と無線通信用パラメータとの組を更新するステップ（後述する図５中のステップＳ１１３４に対応）と、
を含むことを特徴とする。このような更新方法を採用すれば、より高精度にパラメータを更新することができる。なお、基地局同士が近傍かどうかについては、基地局同士の間の経路長に基づいて判定できる。
【発明の効果】
【００１８】
以上説明したように本発明は、パスロス測定値と周辺基地局の報知用無線通信パラメータとに基づいて、基地局が形成するセルに所属する移動局に基地局が報知すべき基地局の識別子と無線通信用パラメータとの組をより高精度に自動設定できるという効果がある。
【発明を実施するための最良の形態】
【００１９】
以下、本発明の実施の形態を、図面を参照して説明する。なお、以下の説明において参照する各図では、同一機能を有する部分には同一符号を付し、繰り返しの説明は省略する。
（無線アクセスネットワークの構成例）
本実施形態にかかる無線アクセスネットワークの構成例について、図１を参照して説明する。同図（ａ）は基地局新設前の状態、同図（ｂ）は基地局新設後の状態、をそれぞれ示している。
【００２０】
本例にかかる無線アクセスネットワークでは、隣接する複数のセルにおいて、セルに所属する移動局とセルを形成する各基地局が同一周波数帯を共有して通信を行うＣＤＭＡ（Code Division Multiple Access）セルラシステムが採用されている。このネットワークは、基地局１００ｉ（ｉは自然数）と、制御ルータ２００ｋ（ｋは自然数）とを含んで構成されている。本例では、同図に示されているように、基地局１００１〜１００３と、制御ルータ２００１及び２００２とがネットワークに設けられている。そして、セルを形成する基地局毎に異なる下りスクランブリングコード、すなわち下り回線を用いて送信する際に使用する拡散符号が設定される。また、セルを形成する基地局毎に、基地局が形成するセルに所属する移動局に報知する、セルの周辺に位置するセルを形成する周辺基地局の基地局識別子とスクランブリングコードとの組が設定される。
【００２１】
同図（ａ）を参照すると、本例では、基地局１００１において、スクランブリングコード及び基地局識別子を報知する対象の基地局は、基地局１００２及び基地局１００１（つまり自局）である。基地局１００２において、スクランブリングコード及び基地局識別子を報知する対象の基地局は、基地局１００１及び基地局１００２（つまり自局）である。基地局１００３において、スクランブリングコード及び基地局識別子を報知する対象の基地局は、基地局１００３（つまり自局のみ）である。
【００２２】
なお、本例にかかる無線アクセスネットワークは、ＣＤＭＡのＦＤＤ（frequency Division Duplex）方式とＴＤＤ（Time Division Duplex）方式を想定している。また、本実施例にかかる無線アクセスネットワークは、ＣＤＭＡ（Code Division Multiple Access）セルラシステム以外にも、ＴＤＭＡ（Time Division Multiple Access）セルラシステムやＦＤＭＡ（Frequency Division Multiple Access）セルラシステムを想定してもよい。
【００２３】
各基地局１００１、１００２および１００３は制御ルータ２００１および２００２のいずれかに収容される。本例では、図１（ａ）に示されているように、当初は、基地局１００１および１００２が制御ルータ２００１に、基地局１００３が制御ルータ２００２に収容される。その後、同図（ｂ）に示されているように、基地局１００４が新設され、制御ルータ２００１に収容される。この結果、同図（ｂ）を参照すると、本例では、基地局１００１において、スクランブリングコード及び基地局識別子を報知する対象の基地局は、基地局１００２、基地局１００４及び基地局１００１（つまり自局）である。基地局１００２において、スクランブリングコード及び基地局識別子を報知する対象の基地局は、基地局１００１、基地局１００４及び基地局１００２（つまり自局）である。基地局１００３において、スクランブリングコード及び基地局識別子を報知する対象の基地局は、基地局１００３（つまり自局のみ）である。基地局１００４において、スクランブリングコード及び基地局識別子を報知する対象の基地局は、基地局１００１、基地局１００２及び基地局１００４（つまり自局）である。
【００２４】
基地局１００１ないし１００４は、基地局同士の組合せにおいて、制御ルータ２００を通じて相互に接続される。また、基地局１００は、自基地局が報知する周辺基地局の基地局識別子とスクランブリングコードとの組を保持し、その内容について基地局同士で照会することができる。
なお、基地局１００ｉの識別子などのシステム全体で一意性を保持する必要があるものについてはサーバ等を設けて管理し、制御ルータから照会できるようにしてもよい。例えば、図２に示されているように、各基地局の識別子を管理するためのサーバ４００を設け、インターネット５００を介して、各基地局１００ｉや、制御ルータ２００ｋからサーバ４００にアクセスして照会を行うようにすれば良い。
【００２５】
同図中のサーバ４００は、制御ルータ２００ｋおよび基地局１００ｉと論理的に繋がっているが、制御ルータと基地局との間のノード構成にあるような階層上の関係を採用しなくてもよい。すなわち、サーバ４００と基地局１００ｉとの間で基地局識別子を送受する場合には、制御ルータ２００ｋを介さずにデータ転送ができるような構成してもよい。逆に、制御ルータ２００ｋを介して基地局識別子を送受しなければならない構成にしてもよい。
【００２６】
また、設けるサーバの数については、特に制限はない。同図に示されているようにシステム全体でサーバを１つ設けてもよいし、例えば負荷分散を行うことを目的としてサーバを複数設けてもよい。
なお、図１及び図２では、基地局１００１、１００２及び１００４が制御ルータ２００１の配下に所属し、基地局１００３が制御ルータ２００２の配下に所属しているが、このような所属関係に限定されず、どのような所属関係であっても良い。
【００２７】
（基地局の構成例）
次に、図１中の基地局１００ｉの構成例について、図３を参照して説明する。図３において、本例の基地局１００ｉは、各種信号を外部に送信するための送信部１０２と、各種信号を外部から受信するための受信部１０４と、送信部１０２および受信部１０４と接続された基地局識別子・スクランブリングコード設定部１０６と、送信部１０２およびスクランブリングコード設定部１０６と接続された基地局識別子・スクランブリングコード通知部１０８と、送信部１０２、受信部１０４、スクランブリングコード設定部１０６および基地局識別子・スクランブリングコード通知部１０８と接続された基地局識別子・スクランブリングコード報知更新部１１０とを含んで構成されている。
【００２８】
このような構成において、基地局１００ｉの識別子および下りスクランブリングコードの設定内容を、基地局識別子・スクランブリングコード設定部１０６により設定する。送信部１０２は、上記下りスクランブリングコードで拡散した制御チャネルにより上記基地局識別子の送信を開始する。
基地局識別子・スクランブリングコード通知部１０８は、送信部１０２により、自基地局に設定した上記基地局識別子および下りスクランブリングコードを、他の基地局１００に向けて送信する。また、受信部１０４より、自基地局が形成するセルの周辺に位置するセルを形成する周辺基地局が報知する全ての基地局識別子と下りスクランブリングコードとの組と、上記周辺基地局が記憶する基地局識別子と下りスクランブリングコードとの組におけるパスロスの保持値を受信し、基地局識別子・スクランブリングコード報知更新部１１０において、自基地局が形成するセルに所属する移動局に報知する基地局識別子と無線通信用パラメータとの組の更新を行う。
【００２９】
（制御ルータの構成例）
次に、図１中の制御ルータ２００ｋの構成例について、図４を参照して説明する。図４において、本例の制御ルータ２００ｋは、各種信号を外部に送信するための送信部２０２と、各種信号を外部から受信するための受信部２０４と、送信部２０２および受信部２０４と接続された基地局識別子割り当て部２０６とを含んで構成されている。
このような構成において、新設された基地局の識別子がサーバから送信され、受信部２０４より受信される。基地局識別子割り当て部２０６は、送信部２０２を介して、上記新設基地局に上記基地局識別子を送信する。
【００３０】
（基地局間の信号のやり取り）
次に、新設された基地局が設定した下りスクランブリングコードで拡散した制御チャネルにより上記新設基地局の識別子の送信を開始してから、上記新設基地局が報知する基地局識別子と下りスクランブリングコードとの組を自動設定する場合の動作について、図５を参照して説明する。同図には、新設基地局１００４と既設基地局１００１〜１００３との信号のやり取りが示されている。
【００３１】
同図において、新設基地局１００４は、自局に設定した下りスクランブリングコードで拡散した共通制御チャネルにより、自局の識別子の送信を開始する（ステップＳ１１０２）。その後、新設基地局１００４は、既設基地局１００１〜１００３に対し、新設基地局１００４における基地局識別子と下りスクランブリングコードとの組を、既設基地局１００１〜１００３が報知している基地局識別子と下りスクランブリングコードとの組に追加するように要求する（ステップＳ１１０４、ステップＳ１１０８、ステップＳ１１１２）。
【００３２】
新設基地局１００４からの基地局識別子、スクランブリングコードの追加要求の信号を、ある一定の所要時間以内という条件と一定のルータ中継数以内という条件との少なくとも一方の条件で受信することのできた既設基地局１００１および１００２は、自基地局が報知する基地局識別子と下りスクランブリングコードとの組に、新設基地局１００４の基地局識別子と下りスクランブリングコードとの組を追加する（ステップＳ１１０６、ステップＳ１１１０）。一方、上記の条件で受信することのできなかった既設基地局１００３は、新設基地局１００４の基地局識別子と下りスクランブリングコードとの組を追加しない（ステップＳ１１１２）。
【００３３】
新設基地局１００４の基地局識別子と下りスクランブリングコードとの組を、報知する基地局識別子と下りスクランブリングコードとの組に追加した既設基地局１００１および１００２は、上記新設基地局１００４からの基地局識別子、スクランブリングコードの追加要求に対する応答を返す（ステップＳ１１１４、ステップＳ１１１６）。
【００３４】
新設基地局１００４の共通制御チャネルを受信可能な移動局（Mobile Station；ＭＳ）３００１および３００２は、新設基地局１００４の下りスクランブリングコードと基地局識別子とを新たに同定し、所属する既設基地局１００１および１００２に対し、移動局が所属する既設基地局１００１および１００２と新設基地局１００４の基地局識別子と下りスクランブリングコードとの組に対するパスロスの測定報告を通知し、これを既設基地局１００１および１００２が受信する（ステップＳ１１１８、ステップＳ１１２２）。既設基地局１００１および１００２は、このパスロスの測定報告に基づき、既設基地局１００１および１００２が保持するパスロスの保持値を更新する（ステップＳ１１２０、ステップＳ１１２４）。
【００３５】
仮に、移動局（Mobile Station；ＭＳ）３００２の測定報告において、移動局が所属する既設基地局１００２と新設基地局１００４に加えて、既設基地局１００３の基地局識別子と下りスクランブリングコードとの組に対するパスロスが含まれる場合、この測定報告を受信した既設基地局１００２は、既設基地局１００３に対し、既設基地局１００３が報知している全ての基地局識別子と下りスクランブリングコードとの組を、新設基地局１００４に通知するように要求する（ステップＳ１１２６）。
【００３６】
ここで、既設基地局は、自局と新設基地局に加えて、他の既設基地局の基地局識別子と下りスクランブリングコードとの組に対するパスロスが含まれている場合に、他の既設基地局に新設基地局に通知要求を行う。ただし、自局と新設基地局のパスロスのみが含まれている場合(すなわち他の既設基地局のパスロスの通知が含まれない場合)には、通知要求を行わない。本例の場合、既設基地局１００２は、自局と新設基地局に加えて、既設基地局１００３の基地局識別子と下りスクランブリングコードの組に対するパスロスが含まれている測定報告を受信している。これに対し、既設基地局１００１は、自局と新設基地局のパスロスのみ含まれている測定報告を受信しているので、既設基地局１００２のみ、既設基地局１００３へ通知の要求を行う。
【００３７】
移動局ＭＳ３００１および３００２から上記パスロスの測定報告を受信した既設基地局１００１および１００２は、自基地局が報知する全ての基地局識別子と下りスクランブリングコードとの組と、それらの組におけるパスロスの保持値を新設基地局１００４に転送する（ステップＳ１１２８、ステップＳ１１３０）。
既設基地局１００２から、既設基地局１００３が報知している基地局識別子と下りスクランブリングコードとの組を新設基地局１００４に通知するように要求を受けた既設基地局１００３は、自基地局が報知している基地局識別子と下りスクランブリングコードとの組を、新設基地局１００４に転送する（ステップＳ１１３２）。
【００３８】
新設基地局１００４のスクランブリングコード設定部１０６では、転送された既設基地局１００１および１００２が報知する全ての基地局識別子と下りスクランブリングコードとの組と、それらの組に対応するパスロス値の保持値および既設基地局１００３が報知する全ての基地局識別子と下りスクランブリングコードとの組を参照し、新設基地局１００４が報知する基地局識別子と下りスクランブリングコードとの組を設定する（ステップＳ１１３４）。
【００３９】
また、新設基地局１００４は、自基地局が報知する全ての基地局識別子と下りスクランブリングコードとの組に対応する既設基地局１００１〜１００３のうち、新設基地局１００４の基地局識別子とスクランブリングコードとの組を、報知する基地局識別子とスクランブリングコードとの組として未だ追加していない既設基地局１００３に対し、新設基地局１００４の基地局識別子と下りスクランブリングコードとの組を追加するように要求する（ステップＳ１１３６）。この要求を受信した既設基地局１００３は、自基地局が報知する基地局識別子と下りスクランブリングコードとの組に対し、新設基地局１００４の基地局識別子と下りスクランブリングコードとの組を追加する（ステップＳ１１３８）。そして、既設基地局１００３は、新設基地局１００４の基地局識別子と下りスクランブリングコードとの組の追加が完了したことを新設基地局１００４に通知する（ステップＳ１１４０）。
【００４０】
以上のように、新設基地局の報知用無線通信パラメータを設定する場合に、移動局から通知される周辺基地局のパスロス測定値と周辺基地局の報知用無線通信パラメータとに基づいて更新を行っているので、より高精度にパラメータを更新することができる。
【００４１】
（移動局の構成例）
次に、移動局３００ｍ（ｍは自然数）の構成例について、図６を参照して説明する。同図において、移動局３００ｍは、各種信号を外部に送信するための送信部３０２と、各種信号を外部から受信するための受信部３０４と、送信部３０２および受信部３０４と接続されたスクランブリングコード・基地局識別子・パスロス測定部３０６とを含んで構成されている。この移動局は、例えば、携帯電話機、ＰＤＡ（Personal Digital Assistant）、ノート型コンピュータなどのモバイル機器である。
【００４２】
スクランブリングコード・基地局識別子・パスロス測定部３０６は、基地局１００ｉの識別子、基地局１００ｉの下りスクランブリングコードを、送信部３０２により既設基地局１００ｉに報告する。また、スクランブリングコード・基地局識別子・パスロス測定部３０６は、基地局１００ｉの送信電力と移動局における受信電力との差（すなわち、パスロス）等を測定し、送信部３０２により既設基地局１００ｉに報告する。
【００４３】
移動局３００ｍのスクランブリングコード・基地局識別子・パスロス測定部３０６は、測定報告の宛先となる基地局１００１〜１００３および新設基地局１００４以外にも同時に測定することのできた基地局の識別子、下りスクランブリングコード、パスロス等を報告する。ただし、ここでは説明の都合上、測定報告の宛先となる基地局１００１〜１００３、及び、新設基地局１００４のみとの間のパスロスを測定することのできた場合について述べる。
【００４４】
（測定報告の例）
次に、移動局３００から基地局１００に報告される情報（測定報告）について、図７を参照して説明する。
同図に示されているように、移動局ＭＳ３００１のスクランブリングコード・基地局識別子・パスロス測定部３０６は、既設基地局１００１宛に、宛先の基地局１００１の下りスクランブリングコード「Ｓｃ＃１」と基地局識別子「ＢＳｉｄ＃１」との組におけるパスロス「ＰＬ＃１」と、新設された基地局１００４の下りスクランブリングコード「Ｓｃ＃４」と基地局識別子「ＢＳｉｄ＃４」との組におけるパスロス「ＰＬ＃４」とを、測定報告として送信する。
【００４５】
また、移動局ＭＳ３００２のスクランブリングコード・基地局識別子・パスロス測定部３０６は、既設基地局１００２宛に、宛先の基地局１００２の下りスクランブリングコード「Ｓｃ＃２」と基地局識別子「ＢＳｉｄ＃２」との組におけるパスロス「ＰＬ＃２」と、新設された基地局１００４の下りスクランブリングコード「Ｓｃ＃４」と基地局識別子「ＢＳｉｄ＃４」との組におけるパスロス「ＰＬ＃４」とを、測定報告として送信する。さらに、移動局ＭＳ３００２においては、基地局１００２および新設基地局１００４に加えて接続可能な基地局１００３の下りスクランブリングコード「Ｓｃ＃３」と基地局識別子「ＢＳｉｄ＃３」との組におけるパスロス「ＰＬ＃３」を、測定報告として送信する。
なお、移動局ＭＳ３００ｍのスクランブリングコード・基地局識別子・パスロス測定部３０６は、基地局の識別子、下りスクランブリングコード、パスロス以外にも、受信レベルや制御チャネルの到達時間差などを報告するようにしてもよい。
【００４６】
（新設基地局への情報送信方法）
次に、既設基地局１００１および１００２が報知する全ての基地局識別子と下りスクランブリングコードとの組と、それらの組におけるパスロスの保持値と、既設基地局１００３が報知する全ての基地局識別子と下りスクランブリングコードとの組とを、基地局１００１〜１００３が新設基地局１００４に送信する方法について、図８を参照して説明する。
【００４７】
同図において、既設基地局１００１および１００２は、自基地局が形成するセルに所属する移動局３００ｍから受信したパスロスの受信報告のうち、接続中の既設基地局１００１および１００２に加え、新設基地局１００４における基地局識別子と下りスクランブリングコードとの組のパスロスを含む場合にのみ、基地局識別子と下りスクランブリングコードとの各組におけるパスロスの保持値の更新を行う。例えば、既設基地局１００１は、同図中の移動局３００１から取得した測定報告を対象として、パスロス保持値の更新を行う（Ｓ１ａ）。一方、取得できなかった測定報告（同図中の×印）は、パスロス保持値の更新対象にはならない（Ｓ１ｂ）。既設基地局１００２も同様に、同図中の移動局３００２から取得した測定報告を対象として、パスロス保持値の更新を行い（Ｓ２ａ）、取得できなかった測定報告（同図中の×印）は、パスロス保持値の更新対象にはならない（Ｓ２ｂ）。なお、基地局識別子と下りスクランブリングコードとの各組における、現在まで受信したパスロスの測定値の平均値または最小値に基づいて、パスロス保持値を更新してもよい。
【００４８】
既設基地局１００１および１００２は、パスロスの保持値を更新する対象のパスロス測定報告をある一定の数だけ受信すると、パスロスの保持値の更新処理を終了する。そして、既設基地局１００１および１００２は、新設基地局１００４に、既設基地局１００１および１００２が報知する全ての基地局識別子と下りスクランブリングコードとの組と、それらの組におけるパスロスの保持値とを通知する。この通知は、制御ルータ２００１を介して新設基地局１００４に送信される（Ｓ３）。
【００４９】
また、既設基地局１００１および１００２は、自基地局と新設基地局１００４以外の基地局識別子と下りスクランブリングコードとの組におけるパスロスの保持値を記憶している場合、基地局識別子と下りスクランブリングコードとの組に対応する既設基地局１００３に対し、既設基地局１００３が報知する全ての基地局識別子と下りスクランブリングコードとの組を、新設基地局１００４に送信するように要求する（Ｓ４）。この要求に基づいて、既設基地局１００３は、自基地局が報知する全ての基地局識別子と下りスクランブリングコードとの組を、新設基地局１００４に送信する（Ｓ５）。
【００５０】
新設された基地局１００４は、基地局識別子、スクランブリングコード報知更新部１１０において、通知された各基地局１００１および１００２が報知する全ての基地局識別子と下りスクランブリングコードとの組と、それらの組におけるパスロスの保持値と、各基地局１００３が報知する全ての基地局識別子と下りスクランブリングコードとの組に基づいて、新設基地局１００４が報知する基地局識別子と下りスクランブリングコードとの組を自局に設定する。
【００５１】
（基地局識別子と下りスクランブリングコードとの組の例）
図９は、基地局識別子・スクランブリングコード報知更新部１１０において生成した新設基地局１００４が報知する基地局識別子と下りスクランブリングコードとの組の例を示す図である。
同図を参照すると、既設基地局１００１においては、優先順位の降順に、下りスクランブリングコード「Ｓｃ＃２」と基地局識別子「ＢＳｉｄ＃２」との組、同じく「Ｓｃ＃３」と「ＢＳｉｄ＃３」との組、同じく「Ｓｃ＃ａ」と「ＢＳｉｄ＃ａ」との組、同じく「Ｓｃ＃ｂ」と「ＢＳｉｄ＃ｂ」との組、同じく「Ｓｃ＃１」と「ＢＳｉｄ＃１」とパスロス（ＰＬ）保持値「α」との組、が設定されている。
【００５２】
また、既設基地局１００２においては、優先順位の降順に、下りスクランブリングコード「Ｓｃ＃１」と基地局識別子「ＢＳｉｄ＃１」との組、同じく「Ｓｃ＃３」と「ＢＳｉｄ＃３」とパスロス（ＰＬ）保持値「γ」との組、同じく「Ｓｃ＃ｂ」と「ＢＳｉｄ＃ｂ」との組、同じく「Ｓｃ＃ａ」と「ＢＳｉｄ＃ａ」との組、同じく「Ｓｃ＃２」と「ＢＳｉｄ＃２」とパスロス（ＰＬ）保持値「β」との組、が設定されている。
【００５３】
さらに、既設基地局１００３においては、優先順位の降順に、下りスクランブリングコード「Ｓｃ＃１」と基地局識別子「ＢＳｉｄ＃１」との組、同じく「Ｓｃ＃２」と「ＢＳｉｄ＃２」との組、同じく「Ｓｃ＃ａ」と「ＢＳｉｄ＃ａ」との組、同じく「Ｓｃ＃ｃ」と「ＢＳｉｄ＃ｃ」との組、同じく「Ｓｃ＃３」と「ＢＳｉｄ＃３」との組、が設定されている。
【００５４】
以上のような設定状態において、基地局１００４に設定される内容は、以下のように決定する。すなわち、基地局識別子と下りスクランブリングコードとの組の優先順位の最上位には、既設基地局１００１〜１００３が報知する全ての基地局識別子と下りスクランブリングコードとの組のうち、パスロスの保持値が通知されている隣接基地局（以下、第１隣接基地局と称する）の下りスクランブリングコードと基地局識別子の組とが設定され、その下位に、パスロスの保持値が通知されていない隣接基地局（以下、第２隣接基地局と称する）の下りスクランブリングコードと基地局識別子の組とが設定される。本例では、基地局１００１及び１００２が「第１隣接基地局」、基地局１００３が「第２隣接基地局」となる。
【００５５】
ここで、第１隣接基地局同士の優先順位については、既設基地局１００１および１００２から通知されるパスロスの保持値が小さい第１隣接基地局を、より上位とする。本例では、測定報告されたパスロス値は、値の小さい順に、「α」、「β」、「γ」である。なお、複数の基地局１００から同一の第１隣接基地局における下りスクランブリングコードと基地局識別子の組に対するパスロスの保持値を受信した場合、パスロスの保持値の平均値または最小値を用いて、他の第１隣接基地局のパスロスの保持値と比較してもよい。
【００５６】
また、第２隣接基地局同士の優先順位については、第１隣接基地局が報知する基地局識別子と下りスクランブリングコードとの組の中で出現回数が多いものを、より上位とする。仮に、第２隣接基地局同士の出現回数が同一の場合には、パスロス値の測定報告が小さい第１隣接基地局が報知する基地局識別子と下りスクランブリングコードとの組を、より上位とする。さらに、第２隣接基地局同士が、パスロスの測定報告の小さい、同一の第１隣接基地局が報知する基地局識別子と下りスクランブリングコードとの組である場合には、パスロス値の測定報告が小さい第１隣接基地局が報知する基地局識別子と下りスクランブリングコードとの組の中で優先順位の高い第２隣接基地局を、より上位とする。つまり、「出現回数」、「パスロス値が小の基地局」、「優先順位」の順序で設定順序を決定する。最後に、新設の基地局１００４の基地局識別子と下りスクランブリングコードとを、その基地局が報知する基地局識別子と下りスクランブリングコードとの組として設定する。
【００５７】
以上により、新設の基地局１００４には、優先順位の降順に、下りスクランブリングコード「Ｓｃ＃１」と基地局識別子「ＢＳｉｄ＃１」との組、同じく「Ｓｃ＃２」と「ＢＳｉｄ＃２」との組、同じく「Ｓｃ＃３」と「ＢＳｉｄ＃３」との組、同じく「Ｓｃ＃ａ」と「ＢＳｉｄ＃ａ」との組、同じく「Ｓｃ＃４」と「ＢＳｉｄ＃４」との組、が設定される。
【００５８】
ところで、基地局１００が報知できる基地局識別子と下りスクランブリングコードとの組の数は有限である。このため、設定した基地局識別子と下りスクランブリングコードとの組の数が上限値（本例では「５」）を超える場合には、基地局識別子、スクランブリングコード報知更新部１１０は、自基地局の下りスクランブリングコードと識別子との項を残して優先順位の低い項を削除する。そして、この上限値を超えている場合、基地局識別子と下りスクランブリングコードとの組の設定処理は完了となる。
【００５９】
上述した例によれば、新設された基地局が報知する基地局識別子と下りスクランブリングコードとの組を設定する場合、新設基地局が形成するセルの隣接に位置する複数の基地局において報知する基地局識別子と下りスクランブリングコードとの組の中で、出現回数が同一となるようなスクランブリングコードと基地局識別子との組が複数存在しても、スクランブリングコードと基地局識別子との組に優先度をつけて、新設基地局が報知する基地局識別子と下りスクランブリングコードとの組として設定することができる。
（変形例）
上述した実施形態では、ＣＤＭＡシステムの場合に、他の基地局の下りスクランブリングコードと重複しない下りスクランブリングコードを設定しているが、ＴＤＭＡシステムやＦＤＭＡシステムについても本発明を適用することができる。すなわち、ＴＤＭＡセルラシステムの場合には、新設基地局が報知するタイムスロットと基地局識別子との組の設定、ＦＤＭＡセルラシステムの場合には、新設基地局が報知する周波数帯域と基地局識別子との組の設定についても同様に、無線通信用のパラメータを設定することができる。
【産業上の利用可能性】
【００６０】
本発明は、複数のユーザが無線伝送路を共有して同時に通信を行う多元接続方式のシステムに適用できる。
【図面の簡単な説明】
【００６１】
【図１】本発明の実施形態にかかる基地局が新設される場合の無線アクセスネットワークの構成を示す説明図である。
【図２】図１の無線アクセスネットワークにおいて、各基地局の識別子を管理するためのサーバを追加した構成例を示す図である。
【図３】本発明の実施形態にかかる基地局の構成を示すブロック図である。
【図４】本発明の実施形態にかかる制御ルータの構成を示すブロック図である。
【図５】新設基地局が報知する基地局識別子とスクランブリングコードとを更新する処理を示すシーケンス図である。
【図６】本発明の実施形態にかかる移動局の構成を示すブロック図である。
【図７】移動局から基地局に報告される情報を示す図である。
【図８】既設基地局の報知している基地局識別子・スクランブリングコード・パスロス保持値が新設基地局に通知される様子を示す図である。
【図９】周辺基地局の報知する基地局識別子、スクランブリングコード、パスロスに基づき新設基地局が報知する基地局識別子、スクランブリングコードを設定する処理を示す図である。
【符号の説明】
【００６２】
１０２、２０２、３０２  送信部
１０４、２０４、３０４  受信部
１０６  基地局識別子・スクランブリングコード設定部
１０８  基地局識別子・スクランブリングコード通知部
１１０  基地局識別子・スクランブリングコード報知更新部
２０６  基地局識別子割り当て部
３０６  スクランブリングコード・基地局識別子・パスロス測定部
４００  サーバ
５００  インターネット
１００１〜１００４  基地局
２００１、２００２  制御ルータ
３００１、３００２  移動局
【図１】
0004726060.tif 000002
【図２】
0004726060.tif 000003
【図３】
0004726060.tif 000004
【図４】
0004726060.tif 000005
【図５】
0004726060.tif 000006
【図６】
0004726060.tif 000007
【図７】
0004726060.tif 000008
【図８】
0004726060.tif 000009
【図９】
0004726060.tif 000010